(57)【要約】【課題】運搬しやすい部材を利用し、簡単、迅速に施工できる施工性にすぐれた、しかも壁面材に十分な強度を付与することができる構造安定性が高く補強土擁壁を実現する。【解決手段】壁面構造体４と、該壁面構造体４の内側に形成され、地盤３上に複数段の盛土７が積み重ねられた盛土構造体６と、敷網材とを備え、壁面構造体４は、壁面体９、壁面体９の内側に水平に装着される円筒状のコイル材１０、該コイル材１０に挿通された腹起こし材１１、及び壁面材１５の内側において起立された支柱材１３を備えており、壁面体９は、複数の壁面材１５が並列されて構成されており、コイル材１０は、壁面材１５の前面側から押し込まれて該壁面材１５に係合するようにして内側に配置されている。【選択図】図１
2006328720.tif 000002
【特許請求の範囲】
【請求項１】
壁面構造体と、該壁面構造体の内側に形成され、地盤上に複数段の盛土が積み重ねられた盛土構造体と、敷網材とを備えた補強土擁壁であって、
前記壁面構造体は、壁面体、該壁面体の内側に水平に装着される円筒状のコイル材、該コイル材に挿通された腹起こし材、及び壁面材の内側において起立された支柱材を備えており、
前記壁面体は、複数の壁面材が並列されて構成されており、
前記コイル材は、前記壁面材の前面側から押し込まれて該壁面材に係合するようにして内側に配置されており、
前記支柱材は、前記コイル材に当接されて前記壁面材に沿って起立されていることを特徴とする補強土擁壁。
【請求項２】
前記壁面体の内側には、植生マットが配置されていることを特徴とする請求項１記載の補強土擁壁。
【請求項３】
前記敷網材は、前記地盤上に敷設された底部敷網材と、前記盛土上に敷設された水平敷網材であることを特徴とする請求項１又は２記載の補強土擁壁。
【請求項４】
前記水平敷網材の前端部は、平行な複数の縦材と該複数の縦材を横方向に連結する横材で複数の網目が形成されており、該前端部の複数の網目に前記コイル材が係入し、該係入したコイル材と前記縦材の間に連結材が挿入され、前記前記水平敷網材の前端部が前記コイル材に取り付けられている構成を特徴とする請求項３記載の補強土擁壁。
【請求項５】
前記複数の壁面材の最下位の壁面材はＬ型壁面材であり、該Ｌ型壁面材より上に配置される壁面材は、平坦な壁面材であることを特徴とする請求項１、２又は３記載の補強土擁壁。
【請求項６】
前記Ｌ型壁面材の角部内側にスペーサが配置されており、前記支持柱の下端部は該スペーサに当接されていることを特徴とする請求項５記載の補強土擁壁。
【請求項７】
前記壁面構造体及び盛土構造体は、背後に切土傾斜面がある地盤上に構築され、前記底部敷網材は、前記地盤から前記切土傾斜面上に敷設されることを特徴とする請求項１〜６のいずれかに記載の補強土擁壁。
【請求項８】
前記盛土構造体の少なく２つの側面の夫々に沿って前記壁面構造体が構築された構成であることを特徴とする請求項１〜６のいずれかに記載の請求項１記載の補強土擁壁。
【発明の詳細な説明】
【技術分野】
【０００１】
本発明は、山間地等の山間地等の道路擁壁、治山用の補強土擁壁、住宅、工場等の敷地造成地の擁壁、土捨て場の擁壁、治山ダム、砂防ダムをはじめ多くの場所に適用される補強土擁壁に関する。
【背景技術】
【０００２】
従来、道路擁壁、駐車場や工場等の敷地造成地の擁壁、土捨て場の擁壁、治山ダム、砂防ダム等に適用される補強土擁壁において、壁面材をエキスパンドメタル（網状の鋼製部材）を利用して施工する構成は知られている（特許文献１参照）。
【０００３】
又、盛土構造において、板状ブロックの壁面材を使用し、上下ブロックの間には継手金具及びスライド式ジョイントを設け、且つ補強土中に埋め込んだアンカー部材とスライド式ジョイントを連結する構成は公知である（特許文献２参照）。
【０００４】
さらに、前面に壁面材を複数配列するとともに内側に縦方向に鋼管を並置した補強土擁壁において、コイルで上下の壁面材を接続するとともに、水平敷網材の前端をコイルに取り付けた構成は、本願発明者によりすでに提案している（特許文献３参照）。
【特許文献１】特開平０８−２８４１７３号公報（段落００１３、図１、４参照）
【特許文献２】特開平１１−２５６５８０号公報（段落０００４、図１、２参照）
【特許文献３】特開２００４−２５０９１３号公報（段落００６３、図１１参照）
【発明の開示】
【発明が解決しようとする課題】
【０００５】
補強土擁壁では、その前面壁に盛土から土圧がかかるから、前面壁にはこのような土圧に対する強度が必要である。特に、前面壁として壁面材を利用する構成では、前記従来例に開示されているとおり、前面壁の内側（内側）に鋼管等の支柱を設けて補強しているが、支柱の場合はその本数や資材の運搬等において制約があり、さらに施工上も支柱を繋げて上方に延ば等、手間がかかるという問題がある。
【０００６】
本発明は、このような従来の問題を解決することを目的とするものであり、運搬しやすい部材を利用し、簡単、迅速に施工できる施工性にすぐれた、しかも壁面材に十分な強度を付与することができる補強土擁壁を実現することを課題とする。
【課題を解決するための手段】
【０００７】
本発明は上記課題を解決するために、壁面構造体と、該壁面構造体の内側に形成され、地盤上に複数段の盛土が積み重ねられた盛土構造体と、敷網材とを備えた補強土擁壁であって、前記壁面構造体は、壁面体、該壁面体の内側に水平に装着される円筒状のコイル材、該コイル材に挿通された腹起こし材、及び壁面材の内側において起立された支柱材を備えており、前記壁面体は、複数の壁面材が並列されて構成されており、前記コイル材は、前記壁面材の前面側から押し込まれて該壁面材に係合するようにして内側に配置されており、前記支柱材は、前記コイル材に当接されて前記壁面材に沿って起立されていることを特徴とする補強土擁壁を提供する。
【０００８】
前記壁面体の内側には、植生マットが配置されている構成としてもよい。
【０００９】
前記敷網材は、前記地盤上に敷設された底部敷網材と、前記盛土上に敷設された水平敷網材である構成としてもよい。
【００１０】
前記水平敷網材の前端部は、平行な複数の縦材と該複数の縦材を横方向に連結する横材で複数の網目が形成されており、該前端部の複数の網目に前記コイル材が係入し、該係入したコイル材と前記縦材の間に連結材が挿入され、前記前記水平敷網材の前端部が前記コイル材に取り付けられている構成としてもよい。
【００１１】
前記複数の壁面材の最下位の壁面材はＬ型壁面材であり、該Ｌ型壁面材より上に配置される壁面材は、平坦な壁面材である構成としてもよい。
【００１２】
前記Ｌ型壁面材の角部内側にスペーサが配置されており、前記支持柱の下端部は該スペーサに当接されている構成としてもよい。
【００１３】
前記壁面構造体及び盛土構造体は、背後に切土傾斜面がある地盤上に構築され、前記底部敷網材は、前記地盤から前記切土傾斜面上に敷設される構成としてもよい。
【００１４】
前記盛土構造体の少なく２つの側面の夫々に沿って前記壁面構造体が構築された構成としてもよい。
【発明の効果】
【００１５】
以上のような構成の本発明に係る補強土擁壁によれば、次のような効果を奏する。
（１）壁面材にコイル材を前面側から押し込んで内側に位置するように取り付け、このコイル材に腰起こし材を挿入する構成としたので、きわめて簡単な作業で壁面材の強度向上を図ることができる。
【００１６】
（２）コイル材に、水平敷網材の前端部の網目部分を上方から係入し、連結材をコイル材に挿入して敷網材の前端部を係合する構成としたので、水平敷網材の取り付け、乃至盛土上への敷設も簡単にできるので作業の効率化が図れる。
【００１７】
（３）なお、本出願人はすでに上記特許文献３において、コイルで隣接する壁面材を結合する構造は記載されているが、本発明は、壁面材の補強を行う為にコイル材を壁面材に装着し、これに腹起こし材を挿通しする構造を特徴とするものであり、その課題、構成及び効果は全く異なるものである。
【発明を実施するための最良の形態】
【００１８】
本発明に係る補強土擁壁の実施の形態を実施例に基づいて図面を参照して説明する。本発明に係る補強土擁壁は、例えば、山間地等の道路擁壁、治山用の補強土擁壁、敷地造成地の擁壁、治山ダム等の各種の補強土擁壁として適用されるものである。
【００１９】
（実施例）
図１〜５は、本発明に係る補強土擁壁の１つの実施例を説明する図である。この実施例の補強土擁壁１は、山間地の道路擁壁や治山用の補強土擁壁等に適用される例であり、地山傾斜部に施工される。補強土擁壁１は、図１に示すように、背後（山側）に切土傾斜面２を有する地盤３（底面となる地盤であるので「底面地盤」とも言う。）上に構築され、後述する壁面構造体４は、谷側のみに構築される。なお、地盤３は、通常、地山傾斜部を水平に切土して形成される。
【００２０】
この実施例の補強土擁壁１は、その主要な構成要素として、壁面構造体４、地盤３の上面から切土傾斜面２に沿って敷設される底部敷網材５、盛土構造体６、及び各段の盛土７の上面に敷設される水平敷網材８を備えて構成される。
【００２１】
壁面構造体４は、図１〜５に示すように、壁面体９、壁面体９の内側（背面側。この実施例では「山側」でもある。）に水平に装着される複数の円筒状のコイル材（横材）１０、コイル材１０に挿通された腹起こし材１１、壁面体９の内側に配置された植生マット１２、及び壁面体９の内側に山側に若干傾斜して起立された複数の支柱材１３を備えて構成される。
【００２２】
壁面体９は、補強土擁壁１の最前面に位置して、補強土擁壁１の正面から見て上下方向及び左右横幅方向に連続的に配置された複数の壁面材から成る。壁面材は、図２（ａ）に示すようなエキスパンドメタル等の部材が利用される。図１に示すように、地盤３上に配置される最下位の壁面材はＬ型壁面材１４であり、このＬ型壁面材１４より上方に順次配置される壁面材は、Ｌ型壁面材ではなく、平坦なフラットタイプの壁面材１５である。
【００２３】
Ｌ型壁面材１４は、水平底部１６と傾斜起立部１７とからなり、水平底部１６が地盤３上において前方端（この実施例では「谷側端」）の近くに配置される。そして、このＬ型壁面材１４を最下位として上下方向に複数の壁面材１５が、上方に延ばされるように構築される。上下方向に隣接するＬ型壁面材１４、壁面材１５は、それらの上端及び下端が部分的に重なり、これら重なっている部分が結束バンド１８（ひも状の締着具）により互いに締結されている。
【００２４】
コイル材１０は、図３、図４（ａ）に示すように、壁面材１５の前面側から内側に向けて押し出されるようにして、壁面材１５と係合するとともにその内側に位置するように装着されている。コイル材１０の長さは、壁面材１５の横幅と同じであってもよいし、それより長くてもよい。
【００２５】
腹起こし材１１は、図３の拡大図（右下及び左下の図）で示すような山形鋼（アングル材）が使用される。この腹起こし材１１は、壁面体９の内側において、図４（ａ）に示すように、コイル材１０内にその一端側から導入されて、図３の拡大図に示すように、壁面体９の内側においてコイル材１０内に挿入された構造となっている。このように、腹起こし材１１がコイル材１０内に挿入されて壁面材１５に装着されている構造により、壁面体９の構造強度が高められている。
【００２６】
なお、１本の腹起こし材１１の長さ（補強土擁壁１の横幅方向の長さ）は、１枚の壁面材１５に対応してその横幅と同じとしてもよいし、それより長くしてもよい。そして、１本の腹起こし材１１を壁面体９の横幅方向に隣接する２枚又は複数枚の壁面材１５に架け渡すようにして挿入してもよい。
【００２７】
このように、腹起こし材１１が隣接する壁面材１５を架け渡すように挿入される場合は、壁面材１５を内側から補強する機能だけでなく、横方向に並列された複数の壁面材１５を面一に配列する機能も発揮する。
【００２８】
また、壁面体９の横幅方向に直線上で隣接する腹起こし材１１の端部を互いに重ねるようにして、この重ねた部分を結束バンド１８で締結してもよいし、隣接する腹起こし材１１の互いの端面を当接するように配置してもよい。
【００２９】
植生マット１２は、図１及び図４（ｂ）に示すように、壁面体９の内側に配置され、結束バンド１８等で適宜、取り付けられる。このようにして、植生マット１２が複数枚、壁面体９の内側全面に取り付けられる。
【００３０】
複数の支柱材１３は、図１、図２（ａ）、図５（ｂ）に示すように、壁面体９の内側において、コイル材１０及びスペーサ１９に内側から当接するように、補強土擁壁１の横幅方向に一定の間隔をおいて起立、配置されている。そして、支柱材１３は、結束バンド１８によってコイル材１０に締結されている。
【００３１】
なお、スペーサ１９は、支柱材１３を起立させる位置において、壁面材１５の角部（水平底部１６と傾斜起立部１７との角部）の内側に配置されている。支柱材１３は、その下端部でスペーサ１９を介し、その上端部でコイル材１０を介することにより、支柱材１３と、Ｌ型壁面材１４及び壁面材１５との間隔を一定とする。これにより、支柱材１３をＬ型壁面材１４及び壁面材１５に沿ってその傾斜起立部１７と同じ角度で起立させることができる。
【００３２】
支柱材１３は、Ｌ型壁面材１４の傾斜起立部１７の傾斜角度とほぼ同じ角度で山側に若干、傾斜して配置され、図１及び図２（ａ）に示すように、壁面体９に沿って上方に複数本が継ぎ合わされるようにして延設される。この継ぎ合わされる部分では、上下方向に隣接する支柱材１３は、互いの端部が重ね合わされてボルト・ナット２０で互いに締着されている。
【００３３】
複数本が継ぎ合わされる支柱材１３の中、最下位の支柱材１３については、図１及び図５（ｂ）に示すように、ターンバックル等の斜めタイ材２１の上端が取り付けられている。この斜めタイ材２１の下端は、Ｌ型壁面材１４の水平底部１６にタイ連結材２２を介して支持される。このような構造の支柱材１３は、壁面構造体４の強度を高める機能を有する。
【００３４】
底部敷網材５は、ジオテキスタイル、例えばテンサー（商品名）やメッシュ等の材料が使用され、その前端は、敷網保持材２３によってＬ型壁面材１４に取り付けられている。底部敷網材５は、図１に示すように、地盤３の上面から切土傾斜面２に沿って敷設され、地盤３上に敷網材固定杭２４により地盤３に固定されている。
【００３５】
なお、底部敷網材５は、地盤３から切土傾斜面２の上端まで１枚で敷設してもよいし、複数枚の敷網材を連結材２５（敷網を連結する部材であるので、「敷網連結材」とも言う。）で連結して延ばしながら敷設してもよい。
【００３６】
盛土構造体６は、適宜の高さ（例．６０ｃｍ）から成る各段の盛土７が、複数段、積み重ねられて構成される。各段の盛土７は、土砂等が充填されてその上面をローラで転圧することでつき固められて形成される。
【００３７】
盛土７上に敷設される水平敷網材８は、図１及び図５（ａ）に示すように、その前端部がコイル材１０に係合されて取り付けられる。この取り付け構造は次のとおりである。水平敷網材８の前端部には、図３の拡大図に示すように、水平敷網材８を構成する複数の平行な縦材２６と、複数の平行な縦材２６の端部を連結する横材２７とによって、複数の網目２８が、壁面体９の横幅方向に並列するように形成されている。
【００３８】
水平敷網材８の前端部の横材２７は、コイル材１０の上に位置し、網目２８内にコイル材１０が食い込むように係入されている。この状態で、コイル材１０に挿入された連結材２５が、コイル材１０と縦材２６の間に割り込むように構成されている。これによって、水平敷網材８の前端部は、コイル材１０に係合されて取り付けられる構造となる。
【００３９】
水平敷網材８の後端部（山側端部）は、底部敷網材５と重ね合わせられて、この重ね合わせられた部分において、連結材２５が水平敷網材８と底部敷網材５の両方の網目をくぐるように挿通されることで、水平敷網材８の後端部は、底部敷網材５に互いに連結されている。水平敷網材８は、底部敷網材５同様に、敷網材固定杭２４で盛土７上に固定されている。
【００４０】
なお、本実施例では、図１に示すように、２段目及び最上位の盛土７上には、水平敷網材８を敷設する代わりに、安定補助材２９が敷設されている。この安定補助材２９は、その構成は敷網材に較べると、若干、グレード（品質）が低い程度で、その構造等はほぼ同じである。このように複数、積み重ねられる盛土の適宜の段に、水平敷網材８を敷設する代わりに安定補助材２９を敷設してもよい。
【００４１】
安定補助材２９の前端部の構成及びそのコイル材１０への取り付け構造は、水平敷網材８と同じである。安定補助材２９の後端は、盛土７に打設された敷網材固定杭２４ によって固定されている。安定補助材２９は、水平敷網材８のように、盛土７を包み込む機能よりむしろコイル材１０を介して壁面体９を安定させる機能を有する。
【００４２】
（施工工程）
次に、実施例の補強土擁壁１の施工の工程（施工方法）を、図１〜５を参照して、順次説明する。
【００４３】
（１）地山傾斜面に補強土擁壁１を施工する場合は、治山の傾斜面を一定の傾斜角度で切り取って切土傾斜面２を形成し、この切土傾斜面２の裾部から前方（谷側）に向けて、水平な底面地盤３を必要に応じて切土して形成する。
（２）底面地盤３の前端部４上に、Ｌ型壁面材１４を配置する。
（３）Ｌ型壁面材１４の傾斜起立部１７の上部に、上位の壁面材１５の下部を重ね合わせて配置し、この重ね合わせ部を結束バンド１８で結着する（以上、図１参照）。
【００４４】
（４）コイル材１０を上位の壁面材１５の前面側から押し込んでその内側（背面側）に位置した状態で係合させる。そして、コイル材１０内に腹起こし材１１を挿入する（図３、図４（ａ）参照）。
（５）Ｌ型壁面材１４からその上位の壁面材１５にかけて、それらの内側に植生マット１２を配設し、結束バンド１８で適宜、Ｌ型壁面材１４及び壁面材１５に固定する（図４（ｂ）参照）。
【００４５】
（６）Ｌ型壁面材１４の角部に内側にスペーサ１９を当接するように配設する。そして、支柱材１３を、その下端部をスペーサ１９に内側（背面側）から当接させ、その上部をコイル材１０に内側（背面側）から当接させて、Ｌ型壁面材１４、壁面材１５及び植生マット１２の内側に、起立させる（図１、図２、図４（ｂ）参照）。
（７）支柱材１３とＬ型壁面材１４との間に、斜めタイ材２１をタイ連結材２２等で取り付ける。さらに、支柱材１３をコイル材１０に結束バンド１８で結着する（図１参照）。
【００４６】
（８）Ｌ型壁面材１４に、敷網保持材２３で底部敷網材５の前端を取り付け、底部敷網材５を地盤３上に敷設し、敷網材固定杭２４で地盤３に固定する。さらに、底部敷網材５を切土傾斜面２にも敷設する（図１参照）。
（９）第１段目の盛土７となる土砂を、Ｌ型壁面材１４及び壁面材１５と、地盤３と、切土斜面とで囲まれる空間であって、１段目のコイル材１０のやや下の高さまで充填し、ローラで転圧して第１段目の盛土７を構築する。
【００４７】
（１０）横材２７をコイル材１０の上にのせて、水平敷網材８の前端部をコイル材１０に上方から食い込ませ、コイル材１０が縦材２６の間に割り込むよう係入させ、この状態で、連結材２５をコイル材１０と縦材２６の間に割り込むように挿入する。これによって、水平敷網材８の前端部を、コイル材１０に取り付ける（図１、図３〜５参照）。
（１１）水平敷網材８を第１段目の盛土７上に敷設し、敷網材固定杭２４で盛土７上に固定する。水平敷網材８の後端部（山側端部）は、底部敷網材５に連結材２５で連結する（図１参照）。
【００４８】
（１２）以下、同様にして、さらに上位の壁面材１５を順次、取り付けて上方に延ばしていくとともに、各段に対応するコイル材１０及び植生マット１２等を取り付け、また、さらに上位の支柱材１３をボルト・ナット２０で固定して上方に延ばす。
【００４９】
（１３）そして、各段毎に土砂を充填してローラで転圧して各段の盛土７を構築し、各段の盛土７の上面において、水平敷網材８の前端を連結材２５を利用してコイル材１０に取り付け、盛土７の上面に敷設する。そして、その後端を底部敷網材２３に連結材２５を介して連結する（図１、図５（ａ）参照）。
【００５０】
（１４）なお、全段の盛土７の全てについてその上面に水平敷網材８を敷設しなくてもよく、適宜、水平敷網材８を敷設する代わりに、安定補助材２９を利用する（図１参照）。本実施例では図１に示すように、第２段目及び最上位の盛土７については、安定補助材２９を利用し、その前端を連結材２５を利用してコイル材１０に取り付け、後端を敷網材固定杭２４で盛土７に固定することで、壁面体９の構造強度を高める。
【００５１】
以上、本発明に係る補強土擁壁１に実施例を説明したが、この実施例の補強土擁壁１は、山間地の道路擁壁や治山用の補強土擁壁として適用される例であり、地山の傾斜面に施工され、背後（山側）に切土傾斜面２の形成された地盤３上に構築されることが多く、このような場合は壁面構造体４が谷側のみに構築される。
【００５２】
これに対して、本発明に係る補強土擁壁を、治山ダム等の補強土擁壁として適用する場合は、上記実施例で説明した壁面構造体４と全く同じ構造の壁面構造体を山側及び谷側の両方に設け、その間に上記実施例で説明した盛土構造体６が構築され、全体としては、ほぼ台形状の補強土擁壁の構成となる。
【００５３】
このような構成では、底部敷網材５の前後両端（谷側端及び山側端）は、それぞれＬ型壁面材１４に取り付けられ、水平敷網材８の両端はそれぞれ上記実施例と同じ取り付け構造で連結材２５を利用してコイル材１０に取り付けられる。
【００５４】
さらに、上記実施例で説明した壁面構造体４と全く同じ構造の壁面構造体４前後だけでなく左右に設け、これら複数の壁面構造体で囲まれるスペースに盛土構造体を構築するする構成としてもよい。即ち、盛土構造体の少なく２つの側面の夫々に沿って上記実施例で説明した壁面構造体４と全く同じ構造の壁面構造体が構築されるような構成としてもよい。このような補強土擁壁は、敷地造成地等に適用される。
【００５５】
以上、本発明に係る補強土擁壁の実施形態を実施例に基づいて説明したが、本発明は特にこのような実施例に限定されることなく、特許請求の範囲記載の技術的事項の範囲内でいろいろな実施例があることはいうまでもない。
【産業上の利用可能性】
【００５６】
以上の構成から成る本発明に係る補強土擁壁は、比較的短く、コンパクトな部材であるコイル材、腹起こし材、連結材等を利用して、補強土擁壁の強度及び作業性の向上を図ることができるから、大きな部品を運び込むのに困難な、山間地等の道路擁壁、治山用の補強土擁壁等を含め、いろいろな場所に適用可能である。
【図面の簡単な説明】
【００５７】
【図１】本発明に係る補強土擁壁の実施例の全体構造を説明する図である。
【図２】（ａ）は実施例の補強土擁壁の正面から見た図であり、（ｂ）は壁面構造体付近を上方から見た図である。
【図３】実施例の補強土擁壁の壁面材にコイルを装着し、さらに水平敷網材を取り付けた斜視図及びその一部拡大図（写真図と線画図）である。
【図４】（ａ）は、実施例において補強土擁壁の壁面材にコイルを装着しさらに腹起こし材を挿入する状態を示し、（ｂ）は壁面体に植生マット及び支柱材を取り付けた状態を示す斜視図である。
【図５】（ａ）は実施例において、盛土上において水平敷網材をコイル材に取り付け盛土上に敷設する状態を示す図であり、（ｂ）は全体構成の透視図を示す。
【符号の説明】
【００５８】
１  補強土擁壁                                   
２  切土傾斜面                                   
３  地盤                                         
４  壁面構造体                                   
５  底部敷網材                                   
６  盛土構造体                                   
７  盛土                                         
８  水平敷網材                                   
９  壁面体                                       
１０  コイル材                                   
１１  腹起こし材                                 
１２  植生マット                                 
１３  支柱材                                     
１４  Ｌ型壁面材                                 
１５  壁面材                                     
１６  水平底部                                   
１７  傾斜起立部                                 
１８  結束バンド                             
１９  スペーサ                                   
２０  ボルト・ナット                             
２１  斜めタイ材                                 
２２  タイ連結材                                 
２３  敷網保持材                                 
２４  敷網材固定杭                               
２５  連結材                                     
２６  水平敷網材を構成する複数の平行な縦材       
２７  水平敷網材を構成する横材                   
２８  複数の網目                                 
２９  安定補助材                                 
【図１】
2006328720.tif 000003
【図２】
2006328720.tif 000004
【図３】
2006328720.tif 000005
【図４】
2006328720.tif 000006
【図５】
2006328720.tif 000007